(57)【要約】【課題】  マルチビューディスプレイの表示画面の映り込みまたはぎらつきを抑制することが可能な液晶表示装置を提供すること。【解決手段】  本発明は、共通の表示画面上の第１の画像および第２の画像をそれぞれ異なる方向から視認できるように表示する液晶表示装置において、液晶パネル（１１０）の表面側にアンチグレア層（１２２）を具備することを特徴とする液晶表示装置である。液晶パネル（１１０）の表面側に設けられたアンチグレア層（１２２）により表示画面の映り込みを抑制することができる。【選択図】図１１
2007086381.tif 000002
【特許請求の範囲】
【請求項１】
共通の表示画面上の第１の画像および第２の画像をそれぞれ異なる方向から視認できるように表示する液晶表示装置において、
液晶パネルの表面側にアンチグレア層を具備することを特徴とする液晶表示装置。
【請求項２】
前記液晶パネルと前記アンチグレア層との間に反射防止層を具備することを特徴とする請求項１記載の液晶表示装置。
【請求項３】
前記液晶パネルは、前記第１の画像および前記第２の画像をそれぞれ異なる方向から視認できるようにするための視差バリアを有することを特徴とする請求項１または２記載の液晶表示装置。
【請求項４】
前記アンチグレア層は透明な球状様粒子がシート表面に配置された層であることを特徴とする請求項１から３のいずれか一項記載の液晶表示装置。
【請求項５】
前記液晶パネルと前記反射防止層との間にタッチパネルを具備することを特徴とする請求項１から４のいずれか一項記載の液晶表示装置。
【発明の詳細な説明】
【技術分野】
【０００１】
本発明は、液晶表示装置、特に共通の表示画面上で異なる方向からそれぞれ異なる画像を視認できる、いわゆるマルチビュー機能を有する液晶表示装置に関する。
【背景技術】
【０００２】
共通の表示画面上で異なる方向からそれぞれ異なる画像を視認できる、いわゆるマルチビューディスプレイとしては、例えば、液晶パネルの前に視差バリアを設け、１ピクセルごとにバックライトからの光の進行方向を振り分けることで、左右において異なる情報（画像）を表示できるものが知られている（例えば、特許文献１等参照）。このような表示装置を車両に搭載することにより、運転者がナビゲーション画像を観ている間に助手席の搭乗者がテレビ等の他の画像を観ることが可能となる。
【特許文献１】特開２００５−７８０８０号公報
【発明の開示】
【発明が解決しようとする課題】
【０００３】
液晶表示装置においては、画面に周囲の景色が映り込む映り込みや画面の明暗が生じるぎらつきを抑制することが求められている。
【０００４】
本発明は、マルチビューディスプレイの映り込みまたはぎらつきを抑制することが可能な液晶表示装置を提供することを目的とする。
【課題を解決するための手段】
【０００５】
本発明は、共通の表示画面上の第１の画像および第２の画像をそれぞれ異なる方向から視認できるように表示する液晶表示装置において、液晶パネルの表面側にアンチグレア層を具備することを特徴とする液晶表示装置である。本発明によれば、表示画面の映り込みを抑制することができる。
【０００６】
本発明は、前記液晶パネルと前記アンチグレア層との間に反射防止層を具備すること液晶表示装置とすることができる。本発明によれば、周囲の画面への映り込みや画面の明暗が周期的に生じるぎらつきを抑制することができる。
【０００７】
本発明は、前記液晶パネルは、前記第１の画像および前記第２の画像をそれぞれ異なる方向から視認できるようにするための視差バリアを有することを特徴とする。本発明によれば、視差バリアに起因した画面のぎらつきを抑制することができる。
【０００８】
本発明は、前記アンチグレア層は透明な球状様粒子がシート表面に配置された層であることを特徴とする液晶表示装置とすることができる。本発明によれば、簡単な構成によりアンチグレア層を作製することができる。
【０００９】
本発明は、前記液晶パネルと前記アンチグレア層との間にタッチパネルを具備することを特徴とする液晶表示装置とすることができる。本発明によれば、タッチパネルに起因した画面の明暗が周期的に生じるぎらつきを抑制することができる。
【発明の効果】
【００１０】
本発明によれば、マルチビューディスプレイの映り込みまたはぎらつきを抑制することが可能な液晶表示装置を提供することができる。
【発明を実施するための最良の形態】
【００１１】
以下、本発明の実施例につき図面を参照に説明する。
【実施例１】
【００１２】
図１は実施例に係るマルチビュー表示装置の基本構成を説明するための図である。この表示装置は、図１に示すように、表示制御手段としての表示制御部１０、表示手段としての表示部１００等から構成されている。表示制御部１０は、供給源としての第１の画像ソース３００Ａから画像データＤＴ１が供給されると共に供給源としての第２の画像ソース３００Ｂから画像データＤＴ２が供給されて、これら第１及び第２の画像データＤＴ１，ＤＴ２からなる画像データＡＤＴを共通の表示部１００へ出力する。尚、表示制御部１０の具体的な構成については後述する。また、第１及び第２の画像ソース３００Ａ,３００Ｂは、後述するカメラ、ＴＶ受信部、ＤＶＤ再生部、ＨＤ再生部、ナビゲーション部等で構成される。
【００１３】
表示部１００は、後述するように、液晶パネル、バックライト、視差バリア等から構成されており、第１の画像データＤＴ１に基づく第１の画像ＩＭ１を右方向から観察者ＯＢＲが視認できると共に第２の画像データＤＴ２に基づく第２の画像ＩＭ２を左方向から観察者ＯＢＬが視認できるように共通の表示画面に表示する。尚、表示部１００の具体的な構成については後述する。
【００１４】
図２は実施例１に係る表示装置を車両へ適用した例を示す斜視図である。表示部１００は、図２に示すように、車両のダッシュボード部分の運転席ＤＳと助手席ＡＳとの間に配置される。また、表示部１００には、表示装置を手動で操作するための操作部１５０が設けられている。図２に示すケースにおいては、運転席ＤＳに着席した乗員が上記の観察者ＯＢＲとなり、助手席ＡＳに着席した乗員が上記の観察者ＯＢＬとなる。そして、これらの搭乗者は、それぞれ運転席ＤＳ側又は助手席ＡＳ側から表示部１００に表示された異なる第１の画像ＩＭ１及び第２の画像ＩＭ２を同時に観ることができる。
【００１５】
図３ないし図９は実施例１に係る表示装置の具体的な構成を示す図であって、図３は表示装置の機能ブロック図、図４は制御部の構成を示す機能ブロック図、図５は第１及び第２の画質調整回路の機能ブロック図、図６は画像出力部の機能ブロック図、図７は液晶パネルの断面構造及び作用を説明するための図、図８は液晶パネルの正面図、及び図９はＴＦＴ基板の回路図である。
【００１６】
この表示装置は、図３に示すように、表示部１００加えて、制御部２０、分配回路３０、第１及び第２の画質調整回路５０Ａ，５０Ｂ、画像出力部７０等から構成されている。尚、上記した表示制御部１０は、制御部２０、分配回路３０、第１及び第２の画質調整回路５０Ａ，５０Ｂ、画像出力部７０等から構成される。
【００１７】
制御部２０は、図４に示すように、プロセッサ（ＣＰＵ）２１、インターフェース２２、ＲＯＭ２３、ＲＡＭ２４等から構成され、ＲＯＭ２３に記憶されたプログラムに従って表示装置を総合的に制御する。また、制御部２０は、後述するように、表示部１００に表示される第１の画像ＩＭ１及び第２の画像ＩＭ２の重なりにより互いに隔てられた第１の画像ＩＭ１の可視範囲と第２の画像ＩＭ１の可視範囲とを、第１の画像ＩＭ１及び第２の画像ＩＭ２の少なくとも一方の画質を調整して所定範囲になるように制御する。
【００１８】
制御部２０は、図３に示すように、車両に搭載されて画像や音声を供給する供給源としての、車両の周囲等を撮像するカメラ３１０、音楽や画像を再生するＣＤ／ＭＤ（コンパクトディスク／ミニディスク）再生部３２０、アンテナからラジオ放送波を受信するラジオ受信部３３０、アンテナからセレクタ３４１を介してＴＶ放送波を受信するＴＶ受信部３４０、ＤＶＤ（ディジタルバーサタイルディスク）から音楽情報や画像を再生するＤＶＤ再生部３５０、ＨＤ（ハードディスク）に記録された画像や音楽情報を再生するＨＤ再生部３６０、ＶＩＣＳ情報受信部３７１が受信した道路情報やＧＰＳ情報受信部３７２が受信した地理情報に基づいて地図やルート案内画像を出力するナビゲーション部３７０等と接続されて、これらとの間でデータを授受すると共にこれらをコントロールする。
【００１９】
また、制御部２０には、各種データを記憶する外部メモリ１４０、表示装置を操作するための操作部１５０、表示装置をリモコン操作するためのリモコン１７１との間で赤外線信号や無線信号を送受するリモコン送受信部１７０、車両に備わるライトスイッチや光センサで構成されて車両内の明るさを検知する明るさ検知センサ１９０、運転席や助手席に設けられる感圧センサ等で構成されて車両の乗員を検出する乗員検知センサ２００等が接続され、制御部２０は、これらから得られる各種データに基づいて各種制御が可能となっている。
【００２０】
分配回路３０は、図３に示すように、上記したカメラ３１０、ＣＤ／ＭＤ再生部３２０、ラジオ受信部３３０、ＴＶ受信部３４０、ＤＶＤ再生部３５０、ＨＤ再生部３６０、ナビゲーション部３７０等から供給される音声データや画像データを、制御部２０からの制御指令に応じて、音声調整回路６０、第１の画質調整回路５０Ａ、あるいは、第２の画質調整回路５０Ｂへ分配する。
【００２１】
音声調整回路６０は、図３に示すように、分配回路３０から供給された音声データを調整してスピーカ６１へ出力する。
【００２２】
第１及び第２の画質調整回路５０Ａ，５０Ｂは、図５に示すように、それぞれコントラスト調整部５１、輝度調整部５２、色調調整部５３、ガンマ値調整部５４等から構成され、制御部２０からの制御指令に応じて、第１及び第２の画像データの画質（コントラスト、輝度、色調、ガンマ値）をそれぞれ調整する。
【００２３】
画像出力部７０は、図６に示すように、第１及び第２の画質調整回路５０Ａ，５０Ｂにおいてそれぞれ画質調整された第１及び第２の画像データがそれぞれ書き込まれる第１及び第２の書込回路７１，７２、ＶＲＡＭ（Video RAM）７３、液晶パネル駆動部７４等から構成されている。第１及び第２の書込回路７１、７２は、第１及び第２の画質調整回路５０Ａ，５０Ｂで画質調整された第１及び第２の画像データを合成すべく、ＶＲＡＭ７３の所定アドレスにそれぞれ書き込む。
【００２４】
ＶＲＡＭ７３は、第１及び第２の画像データを合成した画像データを保持する。この合成した画像データは、表示部１００の各画素にそれぞれ対応している。液晶パネル駆動部７４は、後述する液晶パネル１１０を駆動する回路であり、ＶＲＡＭ７３に保持されている合成画像データに基づいて、液晶パネル１１０の対応する画素を駆動する。
【００２５】
表示部１００は、図３に示すように、液晶パネル１１０、液晶パネル１１０の背面側から照明光を当てるバックライト１２０、表示装置を操作する信号を入力するためのタッチパネル１３０等から構成されている。尚、タッチパネル１３０は、図示しないが、透明なシート状に形成されて液晶パネル１１０の前面に貼着される。
【００２６】
液晶パネル１１０は、図７に示すように、バックライト１２０側から順に配置された、偏光板１１１、ＴＦＴ（Thin Film Transistor）基板１１２、液晶層１１３、ＲＧＢの３原色の画素をもつカラーフィルタ基板１１４、視差バリア１１５、ガラス板１１６、偏光板１１７等から構成された周知の構造を有する。
【００２７】
この液晶パネル１１０は、図７及び図８に示すように、例えば、水平方向に８００画素、垂直方向に４８０画素が配列された表示画面を有すると共に、この表示画面には、水平方向において左側表示用画素１１８（以下、助手席側表示用画素１１８ともいう。）と右側表示用画素１１９（以下、運転席側表示用画素１１９ともいう。）とが交互に配列されて構成されている。
【００２８】
視差バリア１１５は、図７及び図８に示すように、ストライプ状に形成されて遮蔽部と透光部を有し、その遮蔽部は隣接する左側表示用画素１１８と右側表示用画素１１９との間に配置される。視差バリア１１５をカラーフィルタ基板１１４の前面に配置することにより、左側表示用画素１１８を透過した照明光は、左側に向かう照明光のみ選択的に視差バリア１１５の透光部を通過し、右側表示用画素１１９を透過した照明光は、右側に向かう照明光のみが選択的に視差バリア１１５の透光部を通過する。これにより、図７に示すように、液晶パネル１１０の右側（運転席側）からは第１の画像ＩＭ１が視認でき、左側（助手席側）からは第２の画像ＩＭ２が視認できるようになっている。尚、視差バリア１１５は、特開平１０−１２３４６１号公報や特開平１１−８４１３１号公報等に開示されているものと同様のものを使用できる。
【００２９】
ＴＦＴ基板１１２は、図９に示すように、データ線駆動回路ＤＲ１、走査線駆動回路ＤＲ２、垂直方向に配列された走査線ＳＣＬ、水平方向に配列されたデータ線ＤＴＬ、走査線ＳＣＬとデータ線ＤＴＬとの交差する領域毎に形成されたＴＦＴ素子ＥＬ、に対応して形成された画素電極ＥＰ等を備え、走査線ＳＣＬ及びデータ線ＤＴＬで囲まれた各領域がサブピクセルＳＢＰを構成しており、データ線ＤＴＬに沿う各列のサブピクセルＳＢＰは交互に左側表示用画素１１８と右側表示用画素１１９とに割り当てられる。データ線駆動回路ＤＲ１は、液晶パネル駆動部７４によりその駆動タイミングを制御されて、画素電極ＥＰへの印加電圧を制御する。走査線駆動回路ＤＲ２は、液晶パネル駆動部７４によりその駆動タイミングを制御されて、ＴＦＴ素子ＥＬを選択走査する。
【００３０】
図１０は実施例１に係る表示装置の外観図である。表示装置は、表示画面１０２および操作部１５０を有する表示部１００と本体部１５２からなる。表示部１００は、本体部１５２の前面の周囲に設けられたフレーム１５４に収められた状態で使用する。図１０のように表示部１００を斜動させることにより表示部１００を開けることができ、本体部１５２の前面よりＤＶＤ等の記憶媒体を操作することができる構造となっている。
【００３１】
図１１（ａ）は実施例１の表示部１００を示した断面図である。バックライト１２０の表面側（表示画面１０２から光りが出射する側）に液晶パネル１１０、液晶パネル１１０の表面側にタッチパネル１３０、タッチパネル１３０の表面側に表面カバー層１２５が設けられている。すなわち、タッチパネル１３０は液晶パネル１１０と表面カバー層１２５（アンチグレア層１２２）との間に設けられている。タッチパネル１３０は、反射防止層１３３および１３５が両側に設けられたガラス板１３４、その正面側に両面テープスペーサ１３６で張り合わされたインジュウム錫酸化膜（ＩＴＯ）からなる透明電極１３１および１３２が設けられている。表面カバー層１２５は、ポリエチレンテレフタレート（ＰＥＴ）等からなる透明表面シート１２４の正面側にアンチグレア層１２２、背面側に反射防止層１２６が設けられている。
【００３２】
このような構成により、操作者が液晶パネル１１０に写った画像を見ながら、タッチパネル１３０の表面を触ることにより、透明電極１３１および１３２が接触しタッチパネルスイッチとして機能する。
【００３３】
次に、表面カバー層１２５の機能について説明する。図１１（ｂ）を参照に、アンチグレア層１２２は、膜厚１２０μｍのＰＥＴからなる透明な表面シート１２４の表面に形成された数〜１０μｍの直径を有する透明な球状様粒子１２１を配置した層である。これにより、図１１（ｂ）の矢印の様に、表面から入射した光は球状様粒子１２１により様々な方向に散乱し反射する。よって、画面に周囲が映る映り込みを抑制することができる。このため、例えば、図１２（ａ）の表面カバー層１２５ａのように透明表面シート１２４ａの表面側にアンチグレア層１２２aを設ける。つまり、液晶パネル１１０の表面側にアンチグレア層１２２ａを設けることにより、映り込みを抑制することができる。
【００３４】
しかしながら、発明者の実験により、異なる画像をそれぞれ異なる方向から視認できるようにするための視差バリア１１５を有するマルチビュー表示装置において、図１２（ａ）のような構成を用いると、画面の明暗が周期的に生じるぎらつきが生じることがわかった。この原因は明確ではないが、例えばアンチグレア層１２２と視差バリア１１５との干渉または、アンチグレア層１２２、視差バリア１１５およびタッチパネル１３０との干渉が考えられる。いずれにしても、アンチグレア層１２２と視差バリア１１５とが関係した現象である。
【００３５】
そこで、図１２（ｂ）の表面カバー層１２５ｂのように、表面シート１２４ｂの背面側に反射防止層１２６ｂを設ける。つまり、液晶パネル１１０とアンチグレア層１２２との間に反射防止層１２６ｂを設ける。反射防止層１２６ｂは透明シートが複数積層した構成であり、特定の波長の光の反射を防止することができる機能を有し例えば可視光領域の反射を防止する。このようにアンチグレア層１２２をなくすことにより、アンチグレア層１２２に起因した画面の明暗が周期的に生じるぎらつきを抑制することができる。さらに、反射防止層１２６ｂを設けることにより、周囲の画面への映り込みを抑制することができる。
【００３６】
しかしながら、図１２（ｂ）の構成によれば、映り込みの抑制は十分ではない。さらに、表面カバー層１２５を指で触れた場合、表面カバー層１２５に付着する指紋が画面のぎらつきの原因となる。そこで、図１１（ａ）に示した実施例１のように、表面シート１２４の表面に、アンチグレア層１２２を設ける。ここで、アンチグレア層１２２は、図１２（ａ）の様に単独で用いるアンチグレア層１２２ａに対し、球状様粒子１２１の直径を小さくし、表面シート１２４上の球状様粒子１２１の密度を粗くする。これにより、図１１（ｂ）のような反射光の散乱効果は小さくなる。つまり、アンチグレア層１２２を単独で使用したのでは映り込みの抑制の効果は不十分である。
【００３７】
しかしながら、反射防止層１２６とともに用いることにより、映り込みの抑制の効果を得ることができる。しかも、アンチグレア層１２２の散乱効果を小さくすることで、画面の明暗が周期的に生じるぎらつきを抑制することができる。また、表面カバー層１２５を指で触れた場合、表面カバー層１２５に付着する指紋に起因した画面のぎらつきを抑制することができる。
【００３８】
実施例１では、視差バリア１１５を有するマルチビュー表示装置を例に説明したが、これに限られるものではない。また、アンチグレア層１２２、反射防止層１２６は同様の機能を有すれば、例示した構成に限られるものではない。
【００３９】
本発明の実施例について詳述したが、本発明は係る特定の実施例に限定されるものではなく、特許請求の範囲に記載された本発明の要旨の範囲内において、種々の変形・変更が可能である。
【図面の簡単な説明】
【００４０】
【図１】図１は実施例１に係る表示装置の基本構成を説明するための図である。
【図２】図２は表示装置の車両への適用例を示す斜視図である。
【図３】図３は表示装置の構成を示す機能ブロック図である。
【図４】図４は制御部の構成を示す機能ブロック図である。
【図５】図５は第１及び第２の画質調整回路の構成を示す機能ブロック図である。
【図６】図6は画像出力部の構成を示す機能ブロック図である。
【図７】図７は表示部の断面構造を示す図である。
【図８】図８は液晶パネルの正面図である。
【図９】図９はＴＦＴ基板の回路図である。
【図１０】図１０は実施例１に係る表示装置の外観図である。
【図１１】図１１（ａ）は表示部の断面図であり、図１１（ｂ）はアンチグレア層の構成と機能を説明するための図である。
【図１２】図１２（ａ）および図１２（ｂ）は表面カバー層の変形例の図である。
【符号の説明】
【００４１】
１０                表示制御部（表示制御装置）
２０                制御部
３０                分配回路
５０Ａ，５０Ｂ      第１及び第２の画質調整回路
６０                音声調整回路
７０                画像出力部
１００              表示部
１０２              表示画面
１１０              液晶パネル
１２０              バックライト
１２２              アンチグレア層
１２４              表面シート
１２５              表面カバー層
１２６              反射防止層
１３０              タッチパネル
１３１、１３２      透明電極
１３３、１３５      反射防止層
１３４              ガラス
１４０              メモリ
１５０              操作部
１７０              リモコン送受信部
１９０              明るさ検知センサ
２００              乗員検知センサ
３００Ａ，３００Ｂ  画像ソース
３１０              カメラ
３２０              ＣＤ／ＭＤ再生部
３３０              ラジオ受信部
３４０              ＴＶ受信部
３５０              ＤＶＤ再生部
３６０              ＨＤ再生部
３７０              ナビゲーション部
【図１】
2007086381.tif 000003
【図２】
2007086381.tif 000004
【図３】
2007086381.tif 000005
【図４】
2007086381.tif 000006
【図５】
2007086381.tif 000007
【図６】
2007086381.tif 000008
【図７】
2007086381.tif 000009
【図８】
2007086381.tif 000010
【図９】
2007086381.tif 000011
【図１０】
2007086381.tif 000012
【図１１】
2007086381.tif 000013
【図１２】
2007086381.tif 000014